(57)【特許請求の範囲】
【請求項１】
管体の下流端を建物の外部位置で地表面下へと水平に貫通させ、かつこの管体の上流端を前記下流端に対して傾斜させて前記建物の内部の前記地表面より上方へと貫通させた状態で前記建物のべた基礎を形成して、このべた基礎に前記管体を埋設させ、
前記管体より径小な小径管をこの管体内に挿脱可能に挿通させ、
この小径管の下流端を排水路へと接続するとともに、この小径管の上流端に前記建物の排水設備を接続する
ことを特徴とする排水路の形成方法。
【請求項２】
管体は、小径管が挿脱可能に湾曲している
ことを特徴とする請求項１記載の排水路の形成方法。
【請求項３】
管体は、小径管が挿脱可能に屈曲している
ことを特徴とする請求項１記載の排水路の形成方法。
【請求項４】
小径管は、曲り可能管である
ことを特徴とする請求項１ないし３いずれか記載の排水路の形成方法。
【請求項５】
管体の上流端を３０゜〜４５゜傾斜させた状態で、べた基礎内に埋設させる
ことを特徴とする請求項１ないし４いずれか記載の排水路の形成方法。
【請求項６】
べた基礎の上端面に沿って管体の上流端を形成する
ことを特徴とする請求項１ないし５いずれか記載の排水路の形成方法。
【請求項７】
建物内の排水設備を、前記建物外の排水路へと接続する排水路装置であって、
建物の外部位置で地表面下へと水平に下流端が貫通し、かつこの下流端に対して傾斜して前記建物内の地表面より上方へ上流端が貫通した状態で、前記建物のべた基礎に埋設された管体と、
この管体に挿脱可能に挿通され、この管体より径小で曲り可能な小径管と
を具備していることを特徴とした排水路装置。
【請求項８】
管体は、この管体の上流端を３０゜〜４５゜傾斜させた状態で、べた基礎内に埋設されている
ことを特徴とした請求項７記載の排水路装置。
【請求項９】
管体の上流端は、べた基礎の上端面に沿って形成されている
ことを特徴とした請求項７または８記載の排水路装置。
【発明の詳細な説明】
【０００１】
【発明の属する技術分野】
本発明は、建物内の排水設備を建物外の排水路へと接続する排水路の形成方法および排水路装置に関する。
【０００２】
【従来の技術】
従来、この種の排水路の形成方法としては、例えば図４および図５に示す構成が知られている。
【０００３】
そして、この図４および図５に示す排水路の形成方法は、建物１の基礎２を形成する以前の状態で、排水管５が基礎２内に埋設する部分は、予め排水管５を配管して図示しない配筋に固定した後、図示しない型枠内にコンクリートを打設する、または基礎を形成するとき型枠を形成し、この型枠に排水管５が貫通する箇所に、紙製のボイド管６を固定してコンクリートを打設する。
【０００４】
次いで、建物１の基礎２を形成した後、排水管５の上流端３に建物１の図示しない各排水設備を接続するとともに、この排水管５の下流端４を地表面下に埋設した図示しない汚水桝などの排水路へと接続する。
【０００５】
【発明が解決しようとする課題】
しかしながら、上述の図４および図５に示す排水路の形成方法では、建物１の基礎２から地表面Ｇ上へと排水管５の下流端が貫通しているため、建物１の外部から排水管５の一部が見えてしまう場合がある。このため、建物１の外部位置で地表面Ｇ上に出ている排水管５の一部が、太陽光などによる紫外線の照射などや外部からの衝撃などにより劣化してしまう。
【０００６】
また、リフォームなどで建物１の排水設備を変更した場合などには、この建物１の基礎２を貫通した排水管５を交換または再利用しなければならないが、排水管５が基礎２を貫通しているため、排水管５を全く取り壊さずに変更することが困難である。このため、排水管５の交換や再利用が容易でなく、各排水設備を排水路へと接続するための排水路の補修が容易ではないという問題を有している。
【０００７】
本発明は、このような点に鑑みなされたもので、容易に補修できる排水路の形成方法および排水路装置を提供することを目的とする。
【０００８】
【課題を解決するための手段】
請求項１記載の排水路の形成方法は、管体の下流端を建物の外部位置で地表面下へと水平に貫通させ、かつこの管体の上流端を前記下流端に対して傾斜させて前記建物の内部の前記地表面より上方へと貫通させた状態で前記建物のべた基礎を形成して、このべた基礎に前記管体を埋設させ、前記管体より径小な小径管をこの管体内に挿脱可能に挿通させ、この小径管の下流端を排水路へと接続するとともに、この小径管の上流端に前記建物の排水設備を接続するものである。
【０００９】
そして、この構成では、管体の下流端を建物の外部位置で地表面下へと貫通させ、かつこの管体の上流端を建物の内部へと貫通させて建物の基礎を形成する。次いで、管体より径小な小径管をこの管体内に挿脱可能に挿通させて、この小径管の下流端を排水路へと接続するとともに、この小径管の上流端に建物の排水設備を接続する。この結果、建物の排水設備を変更などする場合であっても、管体に挿脱可能に挿通した小径管を交換することにより、建物の排水設備を排水路へと接続できるので、建物の排水路の補修が容易になる。また、管体の下流端を地表面下に配設したため、建物の外部位置で地表面上に管体が露出しない。このため、建物の排水路を見た目良く形成可能となるとともに、太陽光などによる紫外線の照射や衝撃などでの管体および小径管の劣化や損傷を防止できる。
【００１０】
請求項２記載の排水路の形成方法は、請求項１記載の排水路の形成方法において、管体は、小径管が挿脱可能に湾曲しているものである。
【００１１】
そして、この構成では、小径管が挿脱可能に湾曲した管体としたため、この管体の下流端を建物の外部位置で地表面下へと貫通させ、かつこの管体の上流端を建物内へと貫通させることがより容易になる。
【００１２】
請求項３記載の排水路の形成方法は、請求項１記載の排水路の形成方法において、管体は、小径管が挿脱可能に屈曲しているものである。
【００１３】
そして、この構成では、小径管が挿脱可能に屈曲した管体としたため、この管体の下流端を建物の外部位置で地表面下へと貫通させ、かつこの管体の上流端を建物内へと貫通させることが容易になる。
【００１４】
請求項４記載の排水路の形成方法は、請求項１ないし３いずれか記載の排水路の形成方法において、小径管は、曲り可能管であるものである。
【００１５】
そして、この構成では、小径管を曲り可能管にしたことにより、屈曲した管体でも小径管が容易に挿脱可能となる。また、管体の上流端から貫通した小径管の上流端が曲り可能となるので、この小径管の上流端を建物の排水設備に向けて屈曲させることにより、建物の排水設備からの配管がより容易になる。
【００１６】
請求項５記載の排水路の形成方法は、請求項１ないし４いずれか記載の排水路の形成方法において、管体の上流端を３０゜〜４５゜傾斜させた状態で、べた基礎内に埋設させるものである。
【００１７】
そして、この構成では、管体の上流端を３０゜〜４５゜傾斜させた状態で、べた基礎内に埋設させる。
【００１８】
請求項６記載の排水路の形成方法は、請求項１ないし５いずれか記載の排水路の形成方法において、べた基礎の上端面に沿って管体の上流端を形成するものである。
【００１９】
そして、この構成では、べた基礎の上端面に沿って管体の上流端が形成される。
【００２０】
請求項７記載の排水路装置は、建物内の排水設備を、前記建物外の排水路へと接続する排水路装置であって、建物の外部位置で地表面下へと水平に下流端が貫通し、かつこの下流端に対して傾斜して前記建物内の地表面より上方へ上流端が貫通した状態で、前記建物のべた基礎に埋設された管体と、この管体に挿脱可能に挿通され、この管体より径小で曲り可能な小径管とを具備しているものである。
【００２１】
そして、この構成では、建物内からこの建物の外部位置で地表面下へと貫通した湾曲した管体に、この管体より径小で曲り可能な小径管を挿脱可能に挿通する。次いで、建物内に位置するこの小径管の一端に建物の排水設備を接続するとともに、建物の外部に位置する小径管の他端を建物外の排水路へと接続する。この結果、建物の排水設備を変更などする場合であっても、管体に挿脱可能に挿通した小径管を交換することにより、建物の排水設備を排水路へと接続できるので、建物の排水設備を排水路へと接続するための排水路の補修が容易になる。また、管体を地表面下へと貫通させたため、建物の外部位置で地表面上に管体が露出しない。このため、建物の排水路を見た目良く形成可能となるとともに、太陽光などによる紫外線の照射や衝撃などでの管体および小径管の劣化や損傷を防止できる。
【００２２】
請求項８記載の排水路装置は、請求項７記載の排水路装置において、管体は、この管体の上流端を３０゜〜４５゜傾斜させた状態で、べた基礎内に埋設されているものである。
【００２３】
そして、この構成では、管体の上流端を３０゜〜４５゜傾斜させた状態で、べた基礎内に管体を埋設させる。
【００２４】
請求項９記載の排水路装置は、請求項７または８記載の排水路装置において、管体の上流端は、べた基礎の上端面に沿って形成されているものである。
【００２５】
そして、この構成では、管体の上流端をべた基礎の上端面に沿って形成させる。
【００２６】
【発明の実施の形態】
以下、本発明の排水路装置の第１の実施の形態の構成を図１を参照して説明する。
【００２７】
図１において、11は排水路装置で、この排水路装置11は、建物としての住宅12内の図示しない排水口などの排水設備を、この住宅12の宅地内に埋設された図示しない排水路としての汚水桝へと接続する。また、住宅12の床下には、この住宅12の基礎13である略水平な、いわゆるべた基礎14が形成されている。また、このべた基礎14の基礎スラブから立ち上がって、住宅12の柱の基礎となる、いわゆる布基礎15が形成されている。これらべた基礎14および布基礎15は、コンクリートにより打設されている。
【００２８】
そして、排水路装置11は、住宅12のべた基礎14上からこの住宅12の布基礎15の外部位置で地表面Ｓ下へと貫通した管体としてのＶＵ管である曲管、すなわちベンド管21を備えている。このベンド管21は、例えば呼び径が７５ｍｍであり、塩化ビニル樹脂などで軸方向が屈曲した略円筒状に成形されている。ここで、このベンド管21は、中心軸が折れ曲がっている。
【００２９】
また、このベンド管21の上流端22は、べた基礎14から斜め、例えば略３０°〜４５°傾斜して上方に向けて突出しており、このべた基礎14の略水平な上端面16に沿って形成されている。この結果、このベンド管21の上流端22は、楕円形に開口している。ここで、べた基礎14の上端面16は、地表面Ｓより上方に位置している。さらに、ベンド管21は、略３０°〜４５°傾斜した状態でべた基礎14内に埋設され、このベンド管21の下流側が水平方向に向けて屈曲している。そして、このベンド管21の下流端23は、布基礎15を貫通して、住宅の外部位置である地表面Ｓ下に突出している。
【００３０】
さらに、ベンド管21の内部には、このベンド管21より径小な小径管である曲り可能管としての内面平滑なフレキシブル管31が挿脱可能に挿通されている。このフレキシブル管31は、ベンド管21に挿脱可能に挿通された際に、このベンド管21内で屈曲または湾曲する。また、このフレキシブル管31の下流端32は、ベンド管21の下流端23より突出しており、図示しない汚水桝の流入口に接続される図示しない排水管の流入端に接続されている。
【００３１】
また、フレキシブル管31の上流端34には、略円筒状の接続体としてのソケット35が嵌挿されて接着固定されている。このソケット35の上流端36は、例えば６０°〜４５°屈曲した管継手である第１のエルボ41の下流端42に形成された嵌挿部43に嵌挿されて接着固定されている。また、この第１のエルボ41の上流端44の開口外縁には、この第１のエルボ41の下流側に向かうに連れて徐々に拡径する周方向に沿った爪状の嵌合部45が突設されている。
【００３２】
そして、この第１のエルボ41の上流端44は、例えば９０°屈曲したＬ型継手である第２のエルボ51の下流端52に形成した嵌挿受部53にパッキンであるＯリング54を介して水密かつ回転可能に嵌挿接続されている。この第２のエルボ51の嵌挿受部53は、この第２のエルボ51の本体部分より拡径した略円筒状に形成されている。また、この嵌挿受部53の内周には、周方向に沿ったＵ溝状のパッキン保持部であるＯリング保持部55が形成されている。そして、このＯリング保持部55には、Ｏリング54が嵌め込まれており、第１のエルボ41の上流端44に対して水密に接続する。
【００３３】
さらに、このＯリング保持部55より内側である第２のエルボ51の内周には、第１のエルボ41の嵌合部45に嵌合可能な略凹溝状の嵌合凹部56が形成されている、この嵌合凹部56は、第２のエルボ51の下流側に向かうに連れて徐々に深くなるかぎ状に形成されており、第２のエルボ51の周方向に沿った円環状に形成されている。また、この第２のエルボ51の上流端57には、拡開した円筒状の嵌挿凹部58が形成されている。この嵌挿凹部58には、建物の排水設備からの排水管が嵌挿されて接着固定される。
【００３４】
また、ベンド管21の上流端22には、このベンド管21の上流端22を閉塞する上流側閉塞手段としての蓋体61が取り付けられている。この蓋体61は、ベンド管21の上流端22より径大な楕円形状に形成されており、第１のエルボ41の外周に一体的に接続されている。また、この蓋体61の外周縁には、この蓋体61の軸方向である第１のエルボ41の下流端42に向けて突出する円筒状のフランジ部62が形成されている。このフランジ部62は、ベンド管21の上流端22の開口外縁を覆う。
【００３５】
次に、上記第１の実施の形態の排水路装置での排水路の形成方法について説明する。
【００３６】
まず、住宅12の基礎13、すなわちべた基礎14および布基礎15を打設する以前の状態で、上流端22がべた基礎14の上端面16から突出し、下流端23が住宅12の外部位置である地表面Ｓ下に突出するように、ベンド管21を配設する。
【００３７】
次いで、このベンド管21にフレキシブル管31を挿脱可能に挿通させた後、このフレキシブル管31の上流端34に第１のエルボ41の嵌挿部43に嵌挿接着したソケット35の下流端37を接着固定して、この第１のエルボ41の外周に形成した蓋体61でベンド管21の上流端22を閉塞する。
【００３８】
さらに、この第１のエルボ41の上流端44に、第２のエルボ51の嵌挿受部53を回動可能に嵌挿接続する。このとき、第１のエルボ41の嵌合部45が第２のエルボ51の嵌合凹部56に摺動可能に嵌合する。すると、第２のエルボ51のＯリング保持部55に取り付けたＯリング54が第１のエルボ41の外周面に当接して、この第１のエルボ41と第２のエルボ51との接続を水密にする。
【００３９】
この状態で、住宅12のべた基礎14および布基礎15を打設する。
【００４０】
次いで、フレキシブル管31の下流端32を、汚水桝の流入口に接続された排水管の流入端に接続するとともに、第２のエルボ51の嵌挿凹部58に、住宅12の排水設備からの排水管を嵌挿させて接着固定する。
【００４１】
上述したように、上記第１の実施の形態によれば、ベンド管21の下流端23を住宅12の外部位置で地表面Ｓ下へと貫通させ、かつこのベンド管21の上流端22を住宅12のべた基礎14の上端面16へと貫通させた状態で、このベンド管21にフレキシブル管31を挿脱可能に挿通した後、住宅12の基礎13を打設する。この後、このベンド管21の下流端23を汚水桝の流入端に接続するとともに、このベンド管21の上流端22に住宅12の排水設備を接続する。
【００４２】
この結果、住宅12の排水設備を改築または変更する場合などであっても、ベンド管21からフレキシブル管31を引き抜くことができるので、このフレキシブル管31を引き抜いて新たなフレキシブル管31に交換することにより、ベンド管21を破損することなく、新たに設けた排水設備を汚水桝へと接続して、この住宅12の排水路を確保できる。よって、住宅12の排水路の補修を容易にできる。
【００４３】
また、ベンド管21の下流端23を地表面Ｓ下へと貫通させたことにより、住宅12の外部位置で地表面Ｓ上にベンド管21およびフレキシブル管31が露出しない。この結果、住宅12の排水路を見た目良く形成できるとともに、太陽光などによる紫外線の照射や衝撃などでの排水路の劣化や損傷を防止できる。
【００４４】
さらに、住宅12の基礎13に形成したベンド管21に曲り可能なフレキシブル管31を挿脱可能に挿通させたため、ベンド管21が湾曲または屈曲している場合であっても、このベンド管21の上流端22から下流端23へとフレキシブル管31を容易に挿通させることができるとともに、挿通させたフレキシブル管31を容易に引き抜くことができる。
【００４５】
また、フレキシブル管31の上流端34にソケット35を介して第１のエルボ41を接着固定したことにより、この第１のエルボ41の外周部の蓋体61およびフランジ部62が、ベンド管21の上流端22を閉塞する。この結果、住宅12の基礎13を打設する際におけるベンド管21の上流端22からのコンクリート液などの侵入を防止できる。この結果、ベンド管21内からのフレキシブル管31の引き抜きが容易になるとともに、住宅12の基礎13の打設を容易にできる。よって、住宅12の基礎13を打設する際の作業効率を向上できる。
【００４６】
そして、ベンド管21に挿通させたフレキシブル管31の上流端22にソケット35を介して第１のエルボ41を取り付けて、この第１のエルボ41の上流端44を上方へと開口させた後、この第１のエルボ41の上流端44に第２のエルボ51を回転可能に水密に接続して、この第２のエルボ51の上流端57を側方へと開口している。さらに、ベンド管21の上流端22を閉塞する蓋体61を第１のエルボ41に一体的に形成したことにより、この蓋体61でベンド管21の上流端22を閉塞した状態で、この第１のエルボ41の上流端44に接続した第２のエルボ51が回転可能である。
【００４７】
この結果、住宅12の排水設備の向きに合わせて第２のエルボ51を回転させることができるので、住宅12の排水設備に対するフレキシブル管31の接続が容易になり、住宅12の排水路の配管作業をより容易にできる。
【００４８】
さらに、ベンド管21の上流端22を閉塞する蓋体61を第１のエルボ41と一体的に形成したことにより、ベンド管21の上流端22から突出した部分、すなわち第１のエルボ41と蓋体61との間に形成される隙間がなくなる。この結果、住宅12の基礎13を形成する場合に、この住宅12の基礎13を形成する際の用材などに対するベンド管21内への侵入を効率良く防止できる。
【００４９】
次に、本発明の第２の実施の形態の構成を図２を参照して説明する。
【００５０】
この図２に示す排水路装置11は、基本的には図１に示す排水路装置1と同様であるが、ベンド管21に挿通させたフレキシブル管31の上流端34に、ソケット35を介して住宅12の排水設備を直接接続したものである。
【００５１】
この結果、この図２に示す排水路装置11は、ベンド管21に挿通させたフレキシブル管31の上流端34に、ソケット35を介して住宅12の排水設備を直接接続することにより形成されるので、図１に示す排水路装置と同様の作用効果を奏することができる。
【００５２】
さらに、ソケット35の上流側などにフロアバンド81を取り付ければ、フレキシブル管31の下流端32をより容易に位置決め固定できる。
【００５３】
次に、本発明の第３の実施の形態の構成を図３を参照して説明する。
【００５４】
この図３に示す排水路装置11は、基本的には図２に示す排水路装置11と同様であるが、住宅12のべた基礎14および布基礎15に貫通されるベンド管21の軸方向における中間域が湾曲されたものである。ここで、このベンド管21は、中心軸が弓なり、すなわち円弧状に曲がっている。
【００５５】
また、このベンド管21に挿通されるフレキシブル管31の上流端34および下流端32それぞれには、これら上流端34および下流端32にフレキシブル管31と同径の管状体としての排水管85,86を内嵌合により接続可能とする嵌合受口87,88がそれぞれ設けられている。
【００５６】
そして、ベンド管21に挿通されたフレキシブル管31の下流端32とベンド管21の下流端23との間には、これらフレキシブル管31の下流端32とベンド管21の下流端23との間を閉塞する円環状の閉塞手段としてのパッキン89が取り付けられている。また、ベンド管21に挿通されたフレキシブル管31の上流端34には、短管90が内嵌合されて接着固定されている。さらに、この短管90の上流端には、約４５度軸方向が湾曲したエルボ体91が内嵌合により接着固定されている。そして、このエルボ体91の上流端には、排水管85が内嵌合されて接着固定されている。
【００５７】
さらに、この排水管85の上流端は、住宅12の排水設備に接続されており、この排水管85の下流端近傍には、フロアバンド81が取り付けられて住宅12のべた基礎14上に位置決め固定されている。
【００５８】
この結果、この図３に示す排水路装置11は、住宅12のべた基礎14上からこの住宅12の布基礎15の外部へと貫通させたベンド管21にフレキシブル管31を挿通させて、このフレキシブル管31の上流端34および下流端32それぞれに排水管85,86を接続することにより形成されるので、図２に示す排水路装置11と同様の作用効果を奏することができる。
【００５９】
また、ベンド管21を湾曲させたため、このベンド管21が屈曲している場合に比べ、このベンド管21にフレキシブル管31を挿通させて、このフレキシブル管31を住宅12のべた基礎14からこの住宅12の布基礎15へと貫通させる作業をより容易にできる。
【００６０】
さらに、ベンド管21に挿通されたフレキシブル管31の下流端32とベンド管21の下流端23との間を、パッキン89にて閉塞したことにより、このパッキン89の弾性変形にて、これらベンド管21およびフレキシブル管31の下流端における隙間が気密かつ水密に閉塞できる。このため、住宅12の基礎13を形成する場合に、この住宅12の基礎13を形成する際の用材、例えばコンクリートミルクなどに対するベンド管21およびフレキシブル管31の下流端におけるこれらベンド管21とフレキシブル管31との隙間への侵入を防止できるとともに、これらベンド管21およびフレキシブル管31の下流端におけるこれらベンド管21およびフレキシブル管31との隙間へと虫や土砂、雨水などの侵入を防止できる。
【００６１】
なお、上記各実施の形態では、住宅12の基礎13に貫通したベンド管21に挿脱可能に挿通させたフレキシブル管31の上流端34に住宅12の排水設備が接続できる構成であればどのような構成であってもよい。
【００６２】
【発明の効果】
請求項１記載の排水路の形成方法によれば、建物の排水設備を変更などする場合であっても、管体に挿脱可能に挿通した小径管を交換することにより、建物の排水設備を排水路へと接続できるので、建物の排水路の補修を容易でき、また、管体の下流端を地表面下に配設したため、建物の外部位置での地表面上に管体が露出しないので、建物の排水路を見た目良く形成できるとともに、太陽光などによる紫外線の照射や衝撃などでの管体および小径管の劣化や損傷を防止できる。
【００６３】
請求項２記載の排水路の形成方法によれば、請求項１記載の排水路の形成方法の効果に加え、小径管が挿脱可能に湾曲した管体としたため、この管体の下流端を建物の外部位置で地表面下へ貫通させ、かつこの管体の上流端を建物内へと貫通させることをより容易にできる。
【００６４】
請求項３記載の排水路の形成方法によれば、請求項１記載の排水路の形成方法の効果に加え、小径管が挿脱可能に屈曲した管体としたため、この管体の下流端を建物の外部位置で地表面下へと貫通させ、かつこの管体の上流端を建物内へと貫通させることを容易にできる。
【００６５】
請求項４記載の排水路の形成方法によれば、請求項１ないし３いずれか記載の排水路の形成方法の効果に加え、小径管を曲り可能管にしたため、屈曲した管体でも小径管を容易に挿脱でき、また、管体の上流端から貫通した小径管の上流端が曲り可能となるので、この小径管の上流端を建物の排水設備に向けて曲げることにより、建物の排水設備からの配管をより容易にできる。
【００６６】
請求項５記載の排水路の形成方法によれば、請求項１ないし４いずれか記載の排水路の形成方法の効果に加え、管体の上流端を３０゜〜４５゜傾斜させた状態で、べた基礎内に埋設される。
【００６７】
請求項６記載の排水路の形成方法によれば、請求項１ないし５いずれか記載の排水路の形成方法の効果に加え、べた基礎の上端面に沿って管体の上流端が形成される。
【００６８】
請求項７記載の排水路装置によれば、建物の排水設備を変更などする場合であっても、湾曲した管体に挿脱可能に挿通した小径管を交換することにより、建物の排水設備を排水路へと接続できるので、建物の排水路の補修を容易にでき、また、管体を地表面下へと貫通したため、建物の外部位置で地表面上に管体が露出しないので、建物の排水路を見た目良く形成できるとともに、太陽光などによる紫外線の照射や衝撃などでの管体および小径管の劣化や損傷を防止できる。
【００６９】
請求項８記載の排水路装置によれば、請求項７記載の排水路装置の効果に加え、管体の上流端を３０゜〜４５゜傾斜させた状態で、べた基礎内に管体が埋設される。
【００７０】
請求項９記載の排水路装置によれば、請求項７または８記載の排水路装置の効果に加え、管体の上流端がべた基礎の上端面に沿って形成される。
【図面の簡単な説明】
【図１】本発明の排水路の形成方法の第１の実施の形態を示す断面図である。
【図２】本発明の第２の実施の形態を示す断面図である。
【図３】本発明の第３の実施の形態を示す断面図である。
【図４】従来の排水路の形成方法を示す断面図である。
【図５】従来の他の排水路の形成方法を示す断面図である。
【符号の説明】
11    排水路装置
12    建物としての住宅
14    住宅12のべた基礎
21    管体としてのベンド管
22    ベンド管21の上流端
23    ベンド管21の下流端
31    小径管としての曲り可能管であるフレキシブル管
32    フレキシブル管31の下流端
34    フレキシブル管31の上流端
Ｓ    地表面
【図１】
0003592658.tif 000002
【図２】
0003592658.tif 000003
【図３】
0003592658.tif 000004
【図４】
0003592658.tif 000005
【図５】
0003592658.tif 000006